(57)【特許請求の範囲】
【請求項１】
揮発成分が吸着した試料を保持し得る試料ホルダーを内蔵する試料室と、
該試料ホルダーに保持された該試料の温度を調節し得る温度調節手段と、
該試料室に設けたガスポートから加湿または乾燥した清浄な搬送ガスを該試料へ供給し得る給気手段と、
該温度調節手段と該給気手段を用いて該試料の表面状態を少なくとも乾き状態と凝縮水の生成する濡れ状態とし得る状態設定手段とを備え、該試料の表面状態に応じた該揮発成分を発生させ得ると共に、
さらに、前記試料室に設けられ前記試料ホルダーに関して前記ガスポートと反対側に位置する採取口から、該試料室の外環境にある外気を吸気して該試料ホルダーに保持した捕集材へ誘導する吸気手段を備え、該外気中に含まれる揮発成分を該捕集材に濃縮し得ることを特徴とする揮発成分発生装置。
【請求項２】
前記搬送ガスは空気であり、
前記給気手段は、
空気を圧送するポンプと、
該圧送された空気を浄化する浄化手段と、
該浄化された空気を除湿する除湿手段と、
該浄化された空気を加湿する加湿手段と、
該除湿された空気と該加湿された空気との切替えまたは混合を行う手段とからなる請求項１に記載の揮発成分発生装置。
【請求項３】
前記吸気手段は、
前記給気手段に用いるポンプと、
該ポンプの流入側管路と流出側管路の接続先を切り替える切替弁とからなり、
前記採取口から前記ガスポートを通じて吸気する請求項１または２に記載の揮発成分発生装置。
【請求項４】
試料室に内蔵された該試料ホルダーに保持された該試料の温度と該試料の表面近傍の湿度を調整して、該試料の表面状態を少なくとも乾き状態と凝縮水の生成する濡れ状態とし得る状態設定ステップと、
該試料の表面状態に応じて発生した該揮発成分を該試料室に設けた採取口から取得して官能または機器により評価する評価ステップとを備え、
請求項１〜３のいずれかに記載の揮発成分発生装置を用いて行う揮発成分評価方法。
【発明の詳細な説明】
【技術分野】
【０００１】
本発明は、表面状態に応じて発生挙動が異なる揮発成分を、模擬的に発生させ得る揮発成分の発生装置とその評価方法に関する。
【背景技術】
【０００２】
住宅室内や車室内などに存在する揮発成分（特に揮発性有機化合物（ＶＯＣ））は、人体に影響を及ぼしたり、不快感を与えたりする。このような揮発成分の発生を抑制したり低減するには、揮発成分の種類、発生原因または発生メカニズム等の解明が必要となる。
【０００３】
このような観点から、各種部材から発生する揮発成分を採取して分析する装置や方法が種々提案されており、例えば、下記の特許文献に関連する記載がある。
【先行技術文献】
【特許文献】
【０００４】
【特許文献１】特許第３９３５７６３号公報
【特許文献２】特許第４０７８１９０号公報
【発明の概要】
【発明が解決しようとする課題】
【０００５】
特許文献１は、自動車用空気調和機（適宜、「カーエアコン」という。）の使用中に悪臭を放つ揮発成分（臭い成分）を採取して分析するために、カーエアコンのエバポレータをガスパック内に封入し、そのエバポレータを模擬運転させた際に発生する揮発成分をガスパックに設けた取出口から採取することを提案している。
【０００６】
特許文献２は、温度や湿度等が制御された気体を送給する外装部と、その外装部内に設けられた多重管構造の採取部とからなる試料採取装置を提案している。
【０００７】
しかし、いずれの場合も、温度や湿度が安定的な環境下で発生する揮発成分を適切に採取することを目的としているに過ぎず、揮発成分が吸着している試料や部材（エバポレータ等）の表面状態が急激に変化する際に発生する揮発成分などの採取は想定されていない。
【０００８】
また、従来の装置は大型なため、研究室などの限られた場所でのみ使用されており、臭いを実際に生じている現場（例えば住宅室内や車室内）等で、その原因となる揮発成分を現実の環境下で採取したり、臭いの原因と思われる揮発成分を様々な状況下で模擬的に発生させて、実際に発生している臭いと模擬的に発生させた臭い（揮発成分）との異同を確認したりすることが困難であった。
【０００９】
本発明はこのような事情に鑑みて為されたものであり、部材の表面状態が急激に変化するようなときに発生する揮発成分でも、模擬的に発生させることができ、また、実際に臭いを発生させている現場で、その臭い成分（揮発成分）を直接的に捕集したり、人が官能で評価したり、その原因となる揮発成分を特定または確認することを可能とする揮発成分の発生装置およびその評価方法を提供することを目的とする。
【課題を解決するための手段】
【００１０】
本発明者はこの課題を解決すべく鋭意研究し、試行錯誤を重ねた結果、カーエアコン（特にエバポレータ）から発生する臭いには、安定した環境下で定常的に発生する臭いの他に、環境が急激に変化するような過渡的な状況下で発生する臭いもあることを新たに見出した。具体的には、カーエアコンのエバポレータの表面に凝縮水（結露）が生じるタイミングやその表面が乾燥するタイミングで臭いが発生することを発見した。このような成果を発展させることにより、以降に述べる本発明を完成するに至った。
【００１１】
《揮発成分発生装置》
（１）本発明の揮発成分発生装置は、揮発成分が吸着した試料を保持し得る試料ホルダーを内蔵する試料室と、該試料ホルダーに保持された該試料の温度を調節し得る温度調節手段と、該試料室に設けたガスポートから加湿または乾燥した清浄な搬送ガスを該試料へ供給し得る給気手段と、該温度調節手段と該給気手段を用いて該試料の表面状態を少なくとも乾き状態と凝縮水の生成する濡れ状態とし得る状態設定手段とを備え、該試料の表面状態に応じた該揮発成分を発生させ得ると共に、さらに、前記試料室に設けられ前記試料ホルダーに関して前記ガスポートと反対側に位置する採取口から、該試料室の外環境にある外気を吸気して該試料ホルダーに保持した捕集材へ誘導する吸気手段を備え、該外気中に含まれる揮発成分を該捕集材に濃縮し得ることを特徴とする。
【００１２】
（２）本発明によれば、揮発成分が吸着している部材表面（「吸着表面」という。）の環境（温度および湿度）が大きく変動するときを再現でき、その際に放出される揮発成分を模擬的に発生させることができる。吸着表面の環境変動が大きい場合として、例えば、吸着表面が乾き状態から凝縮水の生成する濡れ状態へ変化するとき、またはその逆のとき（つまり凝縮水が蒸発して乾き状態となるとき）がある。
【００１３】
本発明に係る揮発成分はその種類や発生メカニズムを問わないが、本発明者の研究によれば、凝縮水の生成や蒸発が表面に吸着していた揮発成分の放出（例えばエアコン臭の発生）に関与していることがわかっている。さらに、凝縮水の関与により発生する揮発成分は、単に親水性成分のみならず、疎水性成分も含まれることも明らかとなってきた。そして親水性成分は凝縮水が蒸発するとき、つまり吸着表面が濡れ状態から乾き状態へ変化する際に放出され易く、疎水性成分は凝縮水が生成するとき、つまり吸着表面が乾き状態が濡れ状態へ変化する際に放出され易いことも分かってきた。
【００１４】
本発明の揮発成分発生装置によれば、試料をほぼ密閉した状態で包囲できる試料室内において、試料の温度と試料の表面近傍の湿度を状態設定手段で調整または制御することにより、その試料表面（吸着表面）の状態を、所定のタイミングで、乾き状態から濡れ状態にしたり、濡れ状態から乾き状態にしたりすることが可能である。このように本発明の揮発成分発生装置を用いれば、凝縮水の生成・蒸発（乾燥）と揮発成分の放出との関係を模擬的に再現でき、これまで未解明であった特定のタイミングで生じる臭いの原因物質の検出、評価、特定または確認等が容易となる。
【００１５】
また、本発明の揮発成分発生装置は、小さい試料を用いて、その表面状態を少なくとも乾き状態（湿度は適宜調整され得る。）と濡れ状態とできれば足るから、小型化や簡素化が容易である。このため本発明の揮発成分発生装置は、携帯性に優れるコンパクトなものとでき、また、複雑な操作も不要で操作性に優れたものとできる。従って本発明の揮発成分発生装置は、研究室等のみならず、臭いの発生現場等に持ち込んで用いることも容易である。
【００１６】
（３）本発明の揮発成分発生装置は、特定の条件下またはタイミングで試料から揮発成分を放出させるのみならず、搬送ガスの流動方向を逆にすれば、試料室の外部環境に存在する揮発成分を捕集材に吸着させて濃縮することも可能である。そして、臭いの発生現場等において、特有の条件下またはタイミングで発生する揮発成分を、選択的に濃縮した試料を得ることが可能となる。
【００１７】
そこで本発明の揮発成分発生装置は、さらに、前記試料室の外環境にある外気を該試料室に設けた採取口から吸気して前記試料ホルダーに保持した捕集材へ誘導する吸気手段を備え、該外気中に含まれる揮発成分を該捕集材に濃縮し得るものであると好適である。
【００１８】
《揮発成分評価方法》
本発明は上述の揮発成分の発生装置としてのみならず、その発生装置を用いた揮発成分の評価方法としても把握できる。すなわち本発明は、試料室に内蔵された該試料ホルダーに保持された該試料の温度と該試料の表面近傍の湿度を調整して、該試料の表面状態を少なくとも乾き状態と凝縮水の生成する濡れ状態とし得る状態設定ステップと、該試料の表面状態に応じて発生した該揮発成分を該試料室に設けた採取口から取得して官能または機器により評価する評価ステップとを備え、上述した揮発成分発生装置を用いて行う揮発成分評価方法でもよい。
【図面の簡単な説明】
【００１９】
【図１】本発明の一実施例である揮発成分の発生濃縮装置を模式的に示す概要図である。
【図２】その発生濃縮装置を用いて揮発成分を採取する場合を示す説明図である。
【図３】その発生濃縮装置を用いて乾燥状態で揮発成分を発生させる場合を示す説明図である。
【図４】その発生濃縮装置を用いて加湿状態で揮発成分を発生させる場合を示す説明図である。
【図５】マスフローコントローラを追加した発生濃縮装置の概要図である。
【図６】切替弁と管路構成を変更した発生濃縮装置の概要図である。
【図７】多層構造の吸着材と反転型の試料ホルダーを模式的に示す概要図である。
【図８】ガス非透過型の試料または吸着材を用いて揮発成分の発生や採取を行う場合を示す説明図である。
【発明を実施するための形態】
【００２０】
本明細書で説明する内容は、本発明の揮発成分の発生装置のみならず、その評価方法にも適宜該当し得る。上述した本発明の構成要素に、本明細書中から任意に選択した一つまたは二つ以上の構成要素を付加し得る。いずれの実施形態が最良であるか否かは、対象、要求性能等によって異なる。なお、本明細書では、主に各「手段」について説明するが、それらは適宜「ステップ」と言い換えることができる。
【００２１】
《試料室》
試料室は、試料または捕集材（適宜、単に「試料等」という。）を保持する試料ホルダーを収容でき、搬送ガスが試料等を透過またはそれらの表面近傍を流動するために必要な流路を形成する。そして、試料ホルダーや試料室を小さくすることにより、装置全体のコンパクト化や軽量化も図り易くなる。
【００２２】
なお、当然ながら、試料室には、揮発成分の導出または導入を行う採取口、搬送ガスが導出入されるガスポート、各種センサー（温度センサー、湿度センサー、臭いセンサー等）が嵌挿されるセンサーポート等が形成され得る。但し、試料室は、それらを除いて、揮発成分や搬送ガスが所定流路外に漏洩しない密閉構造となっている。
【００２３】
《試料ホルダー》
試料ホルダーは、試料等を保持できるものであれば足る。例えば、搬送ガスが試料等を透過する場合なら試料ホルダーは金網等からなるメッシュ構造であると好ましい。
【００２４】
また多層構造の捕集材を用いて、その各層で複数種の揮発成分を選択的に捕集する場合、試料ホルダーは反転可能な構造であると好ましい。これにより、捕集材の各層に所望の揮発成分を効率的に採取し易くなる。
【００２５】
なお、多層構造の捕集材は、例えば、孔径の異なるメンブランフィルター同士を組合わせる他、特定のメンブランフィルターとそれ以外のフィルター（逆浸透膜（ＲＯフィルター）、活性炭フィルター等）を組合わせてもよい。いずれにしても、捕集する揮発成分の種類に応じて適切な捕集材が選択されればよい。
【００２６】
《温度調節手段》
温度調節手段は、試料ホルダーに保持された試料または捕集材（吸着体等）を、加熱または冷却して所望の温度に調節する。温度調節手段は、例えば、ペルチェ素子等の半導体冷熱素子やセラミックヒーター等からなる。温度調節手段は、さらに、それらの冷熱を制御するＣＰＵ等の制御部（コンピュータ）と、その電力源とを備えると好ましい。小さい試料等なら、上記のような温度調節手段でも十分な加熱または冷却をすることができる。なお、冷熱素子が試料ホルダーと一体的になっていると、コンパクト化を図りつつ、試料等の表面温度を効率的に調整できて好ましい。
【００２７】
《給気手段》
給気手段は、試料室に設けたガスポートから加湿または乾燥した清浄な搬送ガスを試料へ供給する。例えば、搬送ガスが空気である場合、給気手段は、空気（試料室外の大気）を圧送するポンプと、圧送された空気を浄化する浄化手段と、浄化された空気を除湿する除湿手段と、浄化された空気を加湿する加湿手段と、除湿された空気と加湿された空気との切替えまたは混合を行う手段とからなると好適である。
【００２８】
浄化手段には活性炭等からなる清浄材を用いることができる。また除湿手段にはシリカゲル等の除湿材を用いることができる。なお、浄化手段と除湿手段は、搬送ガスの流路中に複数配置してもよい。
【００２９】
さらに加湿手段も種々の装置を用いることができるが、特許第４３２１１３８号公報や特許第４７３４９０４号公報で紹介されている加湿装置を用いると、装置の小型化を図りつつ、微粒子状態の液体（水または水蒸気）により搬送ガスを適切かつ効率的に加湿できる。
【００３０】
具体的にいうと、本発明で用いる加湿装置は、流量制御された加圧流体（搬送ガス）が供給される供給部と、供給部に連通すると共に、該供給部から流入する加圧流体により保液（水）を微粒子状態で放出し得る保液材（例えば、親液性または保液性と透過性とを有するアクリル毛糸やナイロン毛糸等）を内蔵する保液部と、保液部に連通すると共に、該保液部から流出する加圧流体により液体（水）を所定の微粒子状態にして放出する止液材（例えば、疎液性の薄膜状フィルター（テフロン（登録商標）製メンブランフィルター等））を備えた止液部とからなると好適である。
【００３１】
この加湿装置を用いると、従来の加湿器のように液体粒子（水滴等）を混合させた搬送ガスの給気とは異なり、完全に湿った状態の搬送ガスの給気を、簡素な構造で実現でき、揮発成分発生装置の小型化も図り易い。なお、ヒーター等で加熱して、液体の蒸発量（加湿量）を調整するようにしてもよい。
【００３２】
また、このような加湿装置は、保液部と止液部の間に液体の粒子膜の生成を抑制する空間層と、止液材によって止液された液体を保液材に回収する回収材とを備えると好ましい。また、供給部が下方側となり止液部が上方側となるように傾斜して加湿装置が配設されると、保液部内で保液が効率よく循環して好ましい。
【００３３】
さらに加湿装置は、上述のようにして加湿された搬送ガスの流路（加湿流路）と、非加湿な搬送ガスの流路（非加湿流路）と、加湿流路から流通した加湿ガスと非加湿流路から流通した非加湿ガスとを混合する混合路と、加湿ガスと非加湿ガスの混合割合を調整する調整手段とを有すると好ましい。この場合、加湿ガスと非加湿ガスの混合制御により、所望に加湿された搬送ガスを所定のタイミングで、試料室内の試料ホルダーへ給気可能となる。
【００３４】
《状態設定手段》
状態設定手段は、温度調節手段と給気手段を用いて、試料等の表面状態を少なくとも乾き状態と濡れ状態とすることができる。このような表面状態の設定（変更）は、試料等の表面温度とその表面近傍における湿度（表面湿度）との相関に基づき行うことができる。具体的には、特定の表面湿度に対して表面温度を露点未満とすることにより凝縮水が生成（結露）した濡れ状態とすることができる。逆に、表面温度を露点超とすることにより乾き状態とすることができる。このような表面状態の設定は、温度調節手段による試料等の表面温度と、給気手段による搬送ガスの湿度とをコンピュータ等（制御手段）で制御または管理することにより、容易かつ的確に行うことができる。
【００３５】
なお、乾き状態は、除湿部のシリカゲルを通過した空気で湿度１０〜２０％程度であるが、濡れ状態とならない範囲で様々な湿度をとり得る。要するに、本明細書でいう乾き状態は、試料等の表面に凝縮水が生成していない状態である。必要により湿度０％の空気または窒素ガスを使用することも可能である。
【００３６】
《吸気手段》
本発明の揮発成分発生装置は、試料室の外環境にある外気を試料室に設けた採取口から吸気して試料ホルダーに保持した捕集材（吸着材）へ誘導する吸気手段をさらに備えると好適である。これにより、試料室の外環境中に含まれる揮発成分を、試料ホルダーに載置した捕集材へ濃縮させることもできる。このようにして揮発成分の採取または濃縮を行う場合、試料から揮発成分を発生させる場合に対して、試料室内における搬送ガスの流動方向を逆転させる必要がある。この場合、吸気手段として搬送ガスを圧送するポンプと、給気手段として搬送ガスを圧送するポンプとを個別に設けてもよいが、両者を兼用すると揮発成分発生装置の小型化や簡素化を図れて好ましい。そこで本発明に係る吸気手段は、給気手段に用いるポンプと、ポンプの流入側管路と流出側管路の接続先を切り替える切替弁とからなり、切替弁の切替えによってポンプを吸気手段と給気手段で兼用できるようにすると好ましい。
【００３７】
《用途》
本発明の揮発成分発生装置を用いれば、臭い等の発生源の表面状態に応じて、揮発成分を模擬的に発生させたり、そのような揮発成分の採取または捕集をすることができる。本発明の揮発成分発生装置は、その用途が限定されるものではないが、代表例として、凝縮水の生成と乾燥に起因して臭いを生じるカーエアコンの揮発成分を模擬的に発生させたり、その揮発成分を採取・捕集する際に用いられると好ましい。
【実施例】
【００３８】
《装置構成の概要》
本発明に係る一実施例である揮発成分の発生濃縮装置Ｄ（単に「発生濃縮装置Ｄ」という。）の概要図を図１に示した。発生濃縮装置Ｄは、試料部１と、送気部２（給気手段、吸気手段）と、制御部（図略／状態設定手段）とからなり、携帯可能なケースに収納可能となっている。
【００３９】
試料部１は、搬送ガス（空気）の流路１１１（ガスポート）を有する基体１１と、基体１１上に配置され、放出または採取された揮発成分が流動する逆漏斗状の流路１２１を構成する筐体１２と、基体１１と筐体１２の間に配設された試料ホルダー１３と、試料ホルダー１３の冷却または加熱するペルチェ素子１４（温度調節手段）と、流路１２１の温度と湿度を検出する温湿度センサー１５と、流路１２１内の揮発成分を簡易的に検出する臭いセンサー１６とからなる。なお、筐体１２の上端側中央には揮発成分の放出または採取する際に用いる採取口１２２が形成されており、ここで機器分析用の試料の採取や人による官能評価を行う。基体１１と筐体１２により試料ホルダー１３を内蔵する試料室が形成される。
【００４０】
送気部２は、大気中の空気を吸気口２１１から吸気し、吐出口２１２から圧送するエアポンプ２１と、エアポンプ２１から圧送された空気をシリカゲル（除湿手段）で除湿する第１除湿部２２と、第１除湿部２２を通過した空気（第１除湿空気）を活性炭（浄化手段）で清浄化して夾雑成分等を除去する浄化部２３と、浄化部２３を通過した空気（浄化空気）をシリカゲル（除湿手段）で除湿する第２除湿部２４と、浄化部２３を通過した浄化空気を加湿する加湿器２５（加湿手段）と、加湿器２５を通過した空気（加湿空気）に混合する浄化空気（浄化部２３を通過した空気）の流量を調整するニードルバルブ２６と、第１除湿部２２と浄化部２３の間で流動する空気の質量を調整するマスフローコントローラ２７１と、エアポンプ２１の吸気口２１１側に設けられる三方弁２８１と、エアポンプ２１の吐出口２１２側に設けられる三方弁２８２と、第２除湿部２４または加湿器２５の上流側に設けられる三方弁２８３と、第２除湿部２４または加湿器２５の下流側に設けられる三方弁２８４と、三方弁２８１と三方弁２８４の間に設けられる三方弁２８５とからなる。なお、各三方弁は、３つのポート間の連通と遮断を、２ポジションで切り替えるタイプである。
【００４１】
制御部は、ペルチェ素子１４への通電制御により試料ホルダー１３（ひいては試料Ｓまたは吸着材）を所望温度に制御するサーモモジュールと、エアポンプ２１およびマスフローコントローラ２７１（さらには後述のマスフローコントローラ２７２、２７３）を用いて浄化部２３（さらには加湿器２５とバイパス管路２６１）へ圧送する空気量（質量）を制御するフローモジュールと、圧送される空気の流量、加湿度、温度等のガス情報と試料ホルダー１３（試料Ｓ）の温度情報と試料Ｓ（または吸着材）の表面状態情報との相関を示すデータベースと、このデータベースに基づき所望する試料Ｓの表面状態（濡れ状態と乾き状態（乾き度情報を含む。））を実現すべくサーモモジュールとフローモジュールを駆動するＣＰＵ等からなる演算処理部とを備えてなる。なお、制御部は、温湿度センサー１５に基づく流路１２１の温度情報と湿度情報、さらには臭いセンサー１６に基づく流路１２１の揮発成分情報を加味して、適宜、上述の制御を補正することも可能である。なお、これらの機能は、必要により手動とすることも可能である。
【００４２】
《装置の稼働パターン》
（１）揮発成分の捕集（濃縮採取）
発生濃縮装置Ｄにより、室内など空間に存在する臭い成分などの揮発成分を次のようにして採取（濃縮）することができる。
【００４３】
先ず、三方弁２８１、２８２、２８５を図２に示すように切り替える。そしてエアポンプ２１を稼働させると、発生濃縮装置Ｄの外環境中に存在する揮発成分を含んだ空気は、採取口１２２から吸気され、流路１２１、試料ホルダー１３、流路１１１、三方弁２８５、三方弁２８１、エアポンプ２１および三方弁２８２を経て大気開放される（吸気手段）。この空気流により、試料ホルダー１３上に載置したフィルター等の吸着材（捕集材）には、外環境中に存在する揮発成分が濃縮された状態で採取され得る。本明細書では、このように揮発成分を吸着または保持したフィルター等も適宜、試料という。
【００４４】
なお、流路１１１と流路１２１の間に介在する試料ホルダー１３は通気性を有するメッシュ構造からなるが、試料となる吸着材はフィルターのように通気性を有するものに限らず、試料ホルダー１３に載置できる限り、通気性のない細片等でもよい（図８参照）。
【００４５】
また、吸着材の表面状態やその特性（例えばフィルターの細孔径等）を調整することにより、目的とする揮発成分を選択的に採取したり、親水性成分と疎水性成分を分別して採取することも可能である。また、試料ホルダー１３（ひいては吸着材）の状態（温度、湿度、乾き状態または濡れ状態等）を調整して、目的とする揮発成分を選択的に採取することもできる。
【００４６】
（２）乾燥状態における揮発成分の発生（または揮発成分を含む試料の乾燥）
発生濃縮装置Ｄにより、別に用意した試料Ｓ（揮発成分が既知な標準試料、揮発成分が未知な分析・評価の対象試料）から、次のようにして、乾燥状態で生じ得る揮発成分を模擬的に発生させることができる。
【００４７】
先ず、三方弁２８１〜２８５を図３に示すように切り替える。そしてエアポンプ２１を稼働させると、大気（空気）が三方弁２８１からエアポンプ２１の吸気口２１１に導かれ、エアポンプ２１により圧縮されて吐出口２１２から圧送される。加圧された空気は第１除湿部２２で除湿され、マスフローコントローラ２７１で流量調整された後に、浄化部２３で浄化された浄化空気となる。この浄化空気は、三方弁２８３を介して第２除湿部２４へ導かれ、さらに除湿されて乾燥空気となり、三方弁２８４、２８５を介して試料部１の流路１１１へ供給される。
【００４８】
流路１１１に誘導された乾燥空気は、試料ホルダー１３の下方全面へほぼ均等的に分配されて、その試料ホルダー１３に載置された試料Ｓへ給気される。そして、試料Ｓを通過または試料Ｓに接触した乾燥空気は、試料Ｓから発生した揮発成分を含んで、流路１２１を介して採取口１２２へ導かれる。こうして、試料Ｓが乾燥状態のときに生じる揮発成分を模擬的に採取口１２２から取得でき、その揮発成分を官能評価等することが可能となる。この際、ペルチェ素子１４により試料ホルダー１３の温度を制御して、乾燥状態で発生する揮発成分量を調節してもよい。逆に、試料ホルダー１３（試料Ｓ）の温度と揮発成分の発生量との相関（乾燥状態における揮発成分の発生挙動）を分析してもよい。通常であれば、試料ホルダー１３の温度上昇により揮発成分の発生量は増加し得る。
【００４９】
発生濃縮装置Ｄは、単に試料Ｓから揮発成分を発生させるのみならず、試料Ｓの乾燥を行うこともできる。このような試料Ｓの乾燥が必要になる場合として、例えば、高湿度な外環境から揮発成分を捕集したり、液体（例えば、エアコンのドレン水）中に含まれる揮発成分を採取する際に、フィルター等の吸着材が高湿度であったり濡れていたりする場合である。なお、このような乾燥は、通常、ペルチェ素子１４により試料ホルダー１３（試料Ｓ）を低温にした状態で行うと、揮発成分の揮発を抑制しつつ吸着材を乾燥させることができて好ましい。
【００５０】
（３）加湿状態における揮発成分の発生
発生濃縮装置Ｄにより、別に用意した試料Ｓから、次のようにして、加湿状態（濡れ状態を含む）で生じ得る揮発成分を模擬的に発生させることができる。
【００５１】
先ず、三方弁２８１〜２８５を図４に示すように切り替える。そしてエアポンプ２１を稼働させると、上述した場合（図３）と同様に、浄化部２３で浄化された浄化空気が圧送される。
【００５２】
次に、この浄化空気は、三方弁２８３を介して加湿器２５およびニードルバルブ２６へ導かれ、加湿器２５で所定の湿度に加湿された加湿空気とニードルバルブ２６から流量調整された浄化空気とが三方弁２８４の手前で混合される。こうして所望の湿度に調整された加湿空気が三方弁２８４、２８５を介して試料部１の流路１１１へ供給される。
【００５３】
流路１１１に誘導された乾燥空気は、試料ホルダー１３の下方全面へほぼ均等的に分配されて、試料ホルダー１３に載置された試料Ｓへ供給される。試料Ｓを通過または試料Ｓに接触した加湿空気は、試料Ｓから発生した揮発成分を含んで、流路１２１を介して採取口１２２へ導かれる。こうして、試料Ｓが加湿状態（乾き状態または濡れ状態）のときに生じる揮発成分を模擬的に採取口１２２から取得でき、その揮発成分を官能評価等することが可能となる。
【００５４】
この際、ペルチェ素子１４により試料ホルダー１３の温度を制御して、加湿状態で発生する揮発成分量を調節したり、試料ホルダー１３（試料Ｓ）の温度とその近傍の湿度と揮発成分の発生量との相関（揮発成分の発生挙動）を分析してもよい。特に、試料Ｓの表面近傍を低温で高湿度な環境とすることにより、試料Ｓの表面に凝縮水を生成させて試料Ｓの表面状態を濡れ状態とすることができる。こうして、試料Ｓの表面状態が濡れ状態となるときに生じ得る揮発成分を模擬的に発生させることが可能となる。
【００５５】
《他の実施例》
上述した発生濃縮装置Ｄの変形例を以下に示す。便宜上、既述した構成と同様な構成（部材または機器等）には、各図において同符号を付し、それらの詳細な説明を省略した。
【００５６】
（１）発生濃縮装置Ｄは、図５に示すように浄化部２３の上流側に設けるマスフローコントローラ２７１に加えて、加湿器２５の上流側にマスフローコントローラ２７２を設けると共に、ニードルバルブ２６に替わるマスフローコントローラ２７３をバイパス管路２６１に設けると好ましい。これにより、試料部１へ送気する加湿空気の流量を詳細かつ正確に制御することが可能となる。
【００５７】
（２）発生濃縮装置Ｄは、図６に示すように、上述した三方弁２８３および三方弁２８４を一つの六方弁２８６に置換し、三方弁２８１、三方弁２８２および三方弁２８５を一つの十方弁２８７に置換したものである。なお、六方弁２８６と十方弁２８７も、各ポート間の連通と遮断を２ポジションで切り替えるタイプである。
【００５８】
十方弁２８７のポジションを変更することにより、試料部１の採取口１２２から吸気して揮発成分を吸着材に捕集するモード（管路構成）と、乾燥空気または加湿空気を試料部１の流路１１１へ送気して試料Ｓに含まれる揮発成分を発生させるモード（管路構成）とのいずれかに切り替えることができる。
【００５９】
また六方弁２８６のポジションを変更することにより、浄化部２３を通過した浄化空気を第２除湿部２４へ誘導し、試料部１へ乾燥空気を供給するモード（管路構成）と、浄化部２３を通過した浄化空気を加湿器２５およびバイパス管路２６１へ誘導し、試料部１へ加湿空気を供給するモード（管路構成）とのいずれかに切り替えることができる。このような六方弁２８６と十方弁２８７を用いて管路を構成することにより、弁数の大幅な削減や管路の集積化を図れ、発生濃縮装置Ｄのコンパクト化や低コスト化を図り易くなる。
【００６０】
（３）試料ホルダー１３に保持する吸着材は、図７に示すような多層構造体でもよい。例えば、特性（捕集・採取できる揮発成分）が異なるフィルターｆ１とフィルターｆ２を積層したものを吸着材として用いると、複数種の揮発成分を同時に捕集することができる。フィルターｆ１とフィルターｆ２は、例えば、メンブランフィルターと、他のフィルター（逆浸透膜（ＲＯフィルター）、活性炭フィルター等）とをそれぞれ組合わせることができる。
【００６１】
このような多層構造の吸着材は、親水性揮発成分と疎水性揮発成分が混在している試料や生体試料(呼気)などを採取する際に好ましい。また、多層構造の吸着材は、図７に示すように反転可能な試料ホルダー１３に保持して、交互に各フィルターへ揮発成分を吸着させてもよい。
【００６２】
（４）試料ホルダー１３に保持する試料Ｓや吸着材がガス非透過性である場合、図８に示すように、試料Ｓや吸着材の表面に流動する搬送ガスを接触させて、揮発成分の発生や採取を行うとよい。
【符号の説明】
【００６３】
Ｄ          揮発成分の発生濃縮装置
Ｓ          試料
１          試料部
１１        基体
１２        筐体
１１１      流路
１２２      採取口
１３        試料ホルダー
１４        ペルチェ素子（温度調節手段）
２          送気部
２２、２４  除湿部
２５        加湿器
２３        浄化部
【図１】
0006396731.tif 000002
【図２】
0006396731.tif 000003
【図３】
0006396731.tif 000004
【図４】
0006396731.tif 000005
【図５】
0006396731.tif 000006
【図６】
0006396731.tif 000007
【図７】
0006396731.tif 000008
【図８】
0006396731.tif 000009